(57)【要約】【課題】  オプションとしての後処理装置が増設された場合でも、用紙にローラ痕等がつかない安定した用紙搬送制御が行える電子写真装置を提供すること。【解決手段】  用紙へ印刷を行う印刷本体部と、前記印刷本体部で印刷された前記用紙を積載する用紙積載装置と、前記用紙積載装置と前記印刷本体部とを接続する中継部と、前記用紙積載装置と前記中継部内に前記用紙を搬送する用紙搬送手段と、前記用紙搬送手段を制御する用紙搬送制御手段と、を備えた電子写真装置において、前記用紙が搬送されたことを検出する検出手段を前記中継部に設け、前記用紙積載装置が増設された場合には、前記検出手段からの用紙搬送信号を増設された用紙積載装置の前記用紙搬送制御手段へ送信し、用紙搬送制御を行う。【選択図】図１
2009276638.tif 000002
【特許請求の範囲】
【請求項１】
用紙へ印刷を行う印刷本体部と、
前記印刷本体部で印刷された前記用紙を積載する用紙積載装置と、
前記用紙積載装置と前記印刷本体部とを接続する中継部と、
前記用紙積載装置と前記中継部内に前記用紙を搬送する用紙搬送手段と、前記用紙搬送手段を制御する用紙搬送制御手段と、を備えた電子写真装置において、
前記用紙が搬送されたことを検出する検出手段を前記中継部に設け、前記用紙積載装置が増設された場合には、前記検出手段からの用紙搬送信号を増設された用紙積載装置の前記用紙搬送制御手段へ送信し、用紙搬送制御を行うことを特徴とする電子写真装置。
【請求項２】
前記用紙搬送制御手段は前記用紙搬送手段の用紙搬送速度を制御することを特徴とする請求項１記載の電子写真装置。
【発明の詳細な説明】
【技術分野】
【０００１】
本発明は複写機、印刷機、プリンタ等の電子写真装置に関するものである。
【背景技術】
【０００２】
図４は印刷本体部である電子写真装置の概略構成図である。図４において、複数の給紙部１０８に各々装填されているシート状記録部材６０（以下、用紙と称す）は給紙装置１０９より搬送部１０７、切替え部１１３、搬送部１０６の順に搬送され、感光体１０３へ到達する。感光体１０３には書き込み部１０２より上位クライアントコンピュータ等（図示せず）により送信された画像信号に基づいた不可視の画像が形成されており、現像部（図示せず）によって画像信号に基づいた可視画像が形成される。可視画像は転写剥離部１０５によって用紙６０に転写され、ベルト搬送部１１４を経て、定着部１０４に搬送、定着され画像を形成する。
【０００３】
用紙６０は切替え部１１０により反転部１１１に搬送されるか、後処理装置（図示せず）へ出力されるか選択される。そのまま後処理装置出力された場合は片面印刷となる。両面印刷を行う場合には、切替え部１１０によって、図４の下方へ搬送され、反転部１１１にて用紙６０は反転され、両面搬送部１１２を経て、切替え部１１３から再び搬送部１０６に送られ、裏面の印刷が行われる。
【０００４】
次に、後処理装置について説明する。一般にプリンタや複写機などに代表される電子写真装置は、画像形成後の用紙に対してオフセットスタック整列処理やステープル処理等を行う後処理装置をオプション装置として選択的に追加して装着できるようになっている。後処理装置はオプションとして提供される場合があり、後処理装置の用紙搬送速度を電子写真装置と整合させたり、後処理装置との用紙搬送路の高さを合せるために中継部を設けることが一般的に行われている。
【０００５】
電子写真装置と後処理機間、または後処理機と後処理機間は、両者の用紙搬送速度を整合させ、用紙にダメージを与えないように制御した技術が特許文献１で提案されている。以下、その概要につき説明する。
【０００６】
図２は電子写真装置、中継部、後処理装置で構成された装置の一例を示す図である。中継部５１に設けられた検出手段５６は中継部５１に用紙が到達したことを検知するものである。電子写真装置５０の制御部５４は検出手段５６からの検出信号５９に基づき、中継部５１内の用紙搬送手段５５を制御して電子写真装置５０と中継部５１、並びに中継部５１と後処理装置５２間の用紙搬送速度の整合をとる。
【０００７】
図３は電子写真装置と中継部の間にオプションとしての後処理装置が増設された一例を示す図である。この場合においては、電子写真装置５０は用紙搬送手段５５を制御し、中継部５１と後処理装置５２の用紙搬送速度の整合をとることができるが、増設された後処理装置５３の用紙搬送速度は制御できたいため、増設された後処理装置５３と中継部５１間での用紙搬送速度の整合を完全にとることはできない。このため、中継部５１と増設された後処理装置５３との用紙搬送速度の差により、用紙上で用紙搬送ローラがスリップし、用紙にローラ痕がついてしまうという問題が生じていた。
【０００８】
【特許文献１】特開２０００−１７７９０２号公報
【発明の開示】
【発明が解決しようとする課題】
【０００９】
本発明は、上記課題に鑑み、用紙にローラ痕等がつかない安定した用紙搬送制御が行える電子写真装置を提供することを目的とするものである。
【課題を解決するための手段】
【００１０】
上記目的を達成するために、本発明の第１の手段は、用紙へ印刷を行う印刷本体部と、前記印刷本体部で印刷された前記用紙を積載する用紙積載装置と、前記用紙積載装置と前記印刷本体部とを接続する中継部と、前記用紙積載装置と前記中継部内に前記用紙を搬送する用紙搬送手段と、前記用紙搬送手段を制御する用紙搬送制御手段と、を備えた電子写真装置において、前記用紙が搬送されたことを検出する検出手段を前記中継部に設け、前記用紙積載装置が増設された場合には、前記検出手段からの用紙搬送信号を増設された用紙積載装置の前記用紙搬送制御手段へ送信し、用紙搬送制御を行うことを特徴とするものである。
【００１１】
本発明の第２の手段は、第１の手段において、前記用紙搬送制御手段は前記用紙搬送手段の用紙搬送速度を制御することを特徴とする。
【発明の効果】
【００１２】
本発明によれば、中継部と増設された後処理装置との搬送速度の整合が完全にとれ、用紙にローラ痕等がつかない安定した用紙搬送制御が行える電子写真装置を提供することができる。
【発明を実施するための最良の形態】
【００１３】
以下、本発明を図１を用いて説明する。図１は本発明における後処理装置制御を表す構成図である。中継部５１に設けられた検出手段５６は中継部５１に用紙が到達したことを検知する。検出手段５６の検出信号５９は電子写真装置５０の制御部５４及び増設された後処理装置５３の制御部５７に入力される。電子写真装置５０の制御部５４は検出手段５６からの検出信号５９に基づいて用紙搬送手段５５を制御し、中継部５１と後処理装置５２間の用紙搬送速度の整合をとる。一方で増設された後処理装置５３は検出手段５６からの検出信号５９に基づいて制御部５７にて用紙搬送手段を制御し、増設された後処理装置５３と中継部５１間の用紙搬送速度の整合をとる。
【００１４】
以上のように、本発明では電子写真装置５０及び増設された後処理装置５３で用紙搬送速度の整合をとるようにしたので、用紙上で用紙搬送ローラがスリップしたり、用紙にローラ痕がついてしまうという問題を無くすことができ、安定した用紙搬送制御を行うことができる。
【図面の簡単な説明】
【００１５】
【図１】本発明における後処理装置制御を表す構成図である。
【図２】電子写真装置、中継部、後処理装置で構成された装置の一例を示す図である。
【図３】電子写真装置と中継部の間にオプションとしての後処理装置が増設された一例を示す図である。
【図４】電子写真装置の概略構成図である。
【符号の説明】
【００１６】
５０は電子写真装置、５１は中継部、５２は後処理装置、５３は増設された後処理装置、５４は制御部、５５は用紙搬送手段、５６は検出手段、５７は制御部、５８は用紙搬送手段、５９は検出信号、６０はシート状記録部材（用紙）、１０２は書き込み部、１０３は感光体、１０４は定着部、１０５は転写剥離部、１０６は搬送部、１０７は搬送部、１０８は給紙部、１０９は給紙装置、１１０は切替え部、１１１は反転部、１１２は搬送部、１１３は切替え部、１１４はベルト搬送部である。
【図１】
2009276638.tif 000003
【図２】
2009276638.tif 000004
【図３】
2009276638.tif 000005
【図４】
2009276638.tif 000006